(57)【要約】  通信システムにおける少なくとも２つの接続識別子を有する移動局が帯域幅割り当てを要請する方法は、帯域幅割り当てが必要な少なくとも１つの接続識別子を検出するステップと、上記検出した接続識別子が複数である場合に、上記帯域幅割り当てが必要な接続識別子の総数を記録する領域とジェネリックＭＡＣヘッダの帯域幅情報を記録する領域とを含むグラント処理サブヘッダと、上記帯域幅割り当てが必要な接続識別子の中で上記ジェネリックＭＡＣヘッダに含まれている接続識別子を除いた接続識別子の各々に対して、上記移動局の接続識別子を特定の順序に整列したリストで対応する接続識別子の順位を記録する領域と上記対応する接続識別子のために要請する帯域幅情報を記録する領域とを含むグラント処理サブヘッダとを生成するステップと、上記グラント処理サブヘッダを上記ジェネリックＭＡＣヘッダに連接して基地局に送信するステップとを具備する。
2010536231.tif 000002
【特許請求の範囲】
【請求項１】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が１つである場合に、
前記移動局の接続識別子を特定の順序に整列したリストで前記接続識別子の順位を記録する領域と、
前記接続識別子のために要請する帯域幅に関する情報を記録する領域と
を含むグラント処理サブヘッダを生成するステップと、
前記グラント処理サブヘッダをジェネリックＭＡＣ（メディアアクセス制御）ヘッダに連接して基地局に送信するステップと
を具備し、
前記接続識別子は、前記ジェネリックＭＡＣヘッダに含まれている接続識別子とは異なることを特徴とする方法。
【請求項２】
前記ジェネリックＭＡＣヘッダは、前記帯域幅割り当てが必要な接続識別子が１つであり、前記接続識別子が前記ジェネリックＭＡＣヘッダに含まれている接続識別子とは異なることを示す第１及び第２のビットを含むことを特徴とする請求項１に記載の方法。
【請求項３】
前記接続識別子の順位を記録する領域のサイズは、下記の数式により決定されることを特徴とする請求項１に記載の方法。
ｎ＝ｍｉｎ（５，ｍ）
ここで、ｍは、２ｍ≧ｋを満足する最小の整数を示し、ｋは、移動局が有した接続識別子の総数を示す。
【請求項４】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が１つである場合に、
前記帯域幅割り当てが必要な接続識別子を記録するサブヘッダと、
前記接続識別子のために要請する帯域幅に関する情報を記録するグラント処理サブヘッダと
を生成するステップと、
前記サブヘッダ及び前記グラント処理サブヘッダをジェネリックメディアアクセス制御（ＭＡＣ）ヘッダに連接して基地局に送信するステップと
を具備し、
前記接続識別子は、前記ジェネリックＭＡＣヘッダに含まれている接続識別子とは異なることを特徴とする方法。
【請求項５】
前記ジェネリックＭＡＣヘッダは、前記帯域幅割り当てが必要な接続識別子が１つであり、前記接続識別子が前記ジェネリックＭＡＣヘッダに含まれている接続識別子とは異なることを示す第１及び第２のビットを含むことを特徴とする請求項４に記載の方法。
【請求項６】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が複数である場合に、
前記帯域幅割り当てが必要な接続識別子の総数を記録する領域とジェネリックメディアアクセス制御（ＭＡＣ）ヘッダに含まれている接続識別子のために要請する帯域幅に関する情報を記録する領域とを含むグラント処理サブヘッダと、
前記帯域幅割り当てが必要な接続識別子の中で前記ジェネリックＭＡＣヘッダに含まれている接続識別子を除いた接続識別子の各々に対して、前記移動局の接続識別子を特定の順序に整列したリストで対応する接続識別子の順位を記録する領域と前記対応する接続識別子のために要請する帯域幅に関する情報を記録する領域とを含むグラント処理サブヘッダと
を生成するステップと、
前記生成されたグラント処理サブヘッダを前記ジェネリックＭＡＣヘッダに連接して基地局に送信するステップと
を具備することを特徴とする方法。
【請求項７】
前記ジェネリックＭＡＣヘッダは、前記帯域幅割り当てが必要な接続識別子が複数であることを示す第１及び第２のビットを含むことを特徴とする請求項６に記載の方法。
【請求項８】
前記接続識別子の総数を記録する領域及び前記対応する接続識別子の順位を記録する領域の各サイズは、下記の数式により決定されることを特徴とする請求項６に記載の方法。
ｎ＝ｍｉｎ（５，ｍ）
ここで、ｍは、２ｍ≧ｋを満足する最小の整数を示し、ｋは、移動局が有した接続識別子の総数を示す。
【請求項９】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が複数である場合に、
前記移動局の接続識別子を特定の順序に整列したリストで前記帯域幅割り当てが必要な接続識別子と帯域幅割り当てが必要でない接続識別子との識別のために使用されたビットマップを記録するグラント処理サブヘッダと、
前記帯域幅割り当てが必要な接続識別子の中で前記ジェネリックメディアアクセス制御（ＭＡＣ）ヘッダに含まれている接続識別子を除いた接続識別子の各々に対して、対応する接続識別子のために要請する帯域幅に関する情報を記録するグラント処理サブヘッダと
を生成するステップと、
前記グラント処理サブヘッダを前記ジェネリックＭＡＣヘッダに連接して基地局に送信するステップと
を具備することを特徴とする方法。
【請求項１０】
前記ジェネリックＭＡＣヘッダは、前記帯域幅割り当てが必要な接続識別子が複数であることを示す第１及び第２のビットを含むことを特徴とする請求項９に記載の方法。
【請求項１１】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が複数である場合に、
前記帯域幅割り当てが必要な接続識別子の総数を記録する領域とジェネリックメディアアクセス制御（ＭＡＣ）ヘッダに含まれている接続識別子のために要請する帯域幅に関する情報を記録する領域とを含むグラント処理サブヘッダと、
前記帯域幅割り当てが必要な接続識別子の各々に対して対応する接続識別子を記録するサブヘッダと、
前記対応する接続識別子のために要請する帯域幅に関する情報を記録するグラント処理サブヘッダと
を生成するステップと、
前記サブヘッダ及び前記グラント処理サブヘッダを前記ジェネリックＭＡＣヘッダに連接して基地局に送信するステップと
を具備することを特徴とする方法。
【請求項１２】
前記ジェネリックＭＡＣヘッダは、前記帯域幅割り当てが必要な接続識別子が複数であることを示す第１及び第２のビットを含むことを特徴とする請求項１１に記載の方法。
【請求項１３】
前記接続識別子の総数を記録する領域のサイズは、下記の数式により決定されることを特徴とする請求項１１に記載の方法。
ｎ＝ｍｉｎ（５，ｍ）
ここで、ｍは、２ｍ≧ｋを満足する最小の整数を示し、ｋは、移動局が有した接続識別子の総数を示す。
【請求項１４】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が１つである場合に、
拡張サブヘッダグループ長さフィールドと、第１の値を有する拡張サブヘッダタイプフィールドと、前記拡張サブヘッダタイプフィールドに対応する拡張サブヘッダボディーフィールドとをジェネリックメディアアクセス制御（ＭＡＣ）ヘッダに連接して基地局に送信するステップと
を具備し、
前記拡張サブヘッダボディーフィールドは、
前記移動局の接続識別子を特定の順序に整列したリストで前記接続識別子の順位を記録する領域と
前記接続識別子のために要請する帯域幅に関する情報を記録する領域と
を含むグラント処理サブヘッダを有することを特徴とする方法。
【請求項１５】
前記拡張サブヘッダタイプは、前記拡張サブヘッダタイプフィールドの値により識別され、前記拡張サブヘッダタイプフィールドの第１の値は、拡張サブヘッダタイプフィールド値の中で予備領域に対応する値の中の少なくとも１つに予め設定されることを特徴とする請求項１４に記載の方法。
【請求項１６】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が複数である場合に、
拡張サブヘッダグループ長さフィールドと、第２の値を有する拡張サブヘッダタイプフィールドと、前記拡張サブヘッダタイプフィールドに対応する拡張サブヘッダボディーフィールドとをジェネリックメディアアクセス制御（ＭＡＣ）ヘッダに連接して基地局に送信するステップと
を具備し、
前記拡張サブヘッダボディーフィールドは、
前記帯域幅割り当てが必要な接続識別子の総数を記録する領域と前記ジェネリックＭＡＣヘッダに含まれている接続識別子のために要請する帯域幅に関する情報を記録する領域とを含むグラント処理サブヘッダと、
前記帯域幅割り当てが必要な接続識別子の中で前記ジェネリックＭＡＣヘッダに含まれている接続識別子を除いた接続識別子の各々に対して、前記移動局の接続識別子を特定の順序に整列したリストで対応する接続識別子の順位を記録する領域と前記対応する接続識別子のために要請する帯域幅に関する情報を記録する領域とを含むグラント処理サブヘッダと
を有することを特徴とする方法。
【請求項１７】
前記拡張サブヘッダタイプは、前記拡張サブヘッダタイプフィールドの値により識別され、前記拡張サブヘッダタイプフィールドの第２の値は、拡張サブヘッダタイプフィールド値の中で予備領域に対応する値の中の少なくとも１つに予め設定されることを特徴とする請求項１６に記載の方法。
【請求項１８】
通信システムにおける少なくとも２つの接続識別子を有する移動局が帯域幅割り当てを要請する方法であって、
帯域幅割り当てが必要な少なくとも１つの接続識別子を検出するステップと、
前記検出した少なくとも１つの接続識別子が複数である場合に、
拡張サブヘッダグループ長さフィールドと、第３の値を有する拡張サブヘッダタイプフィールドと、前記拡張サブヘッダタイプフィールドに対応する拡張サブヘッダボディーフィールドとをジェネリックメディアアクセス制御（ＭＡＣ）ヘッダに連結して基地局に送信するステップと
を具備し、
前記拡張サブヘッダボディーフィールドは、
前記移動局の接続識別子を特定の順序に整列したリストで前記帯域幅割り当てが必要な接続識別子と帯域幅割り当てが必要でない接続識別子との識別のために使用されたビットマップを記録するグラント処理サブヘッダと、
前記帯域幅割り当てが必要な接続識別子の中で前記ジェネリックメディアアクセス制御（ＭＡＣ）ヘッダに含まれている接続識別子を除いた接続識別子の各々に対して、対応する接続識別子のために要請する帯域幅に関する情報を記録するグラント処理サブヘッダと
を有することを特徴とする方法。
【請求項１９】
前記拡張サブヘッダタイプは、前記拡張サブヘッダタイプフィールドの値により識別され、前記拡張サブヘッダタイプフィールドの第３の値は、拡張サブヘッダタイプフィールド値の中で予備領域に対応する値の中の少なくとも１つに予め設定されることを特徴とする請求項１８に記載の方法。
【発明の詳細な説明】
【技術分野】
【０００１】
本発明は、通信システムに関し、特に、移動局（Mobile Station：以下、“ＭＳ”と称する。）がアップリンク（以下、“ＵＬ”と称する。）帯域幅割り当てを要請し、この帯域幅割り当て要請に応じて基地局（以下、“ＢＳ”と称する。）が帯域幅をＭＳに割り当てるシステム及び方法に関する。
【背景技術】
【０００２】
通信システムでは使用可能なリソースが限定されているので、このリソースを効率的に使用するための研究が活発に進んでいる。限定されたリソースを効率的に使用するためには、不必要にリソースが割り当てられることを防止し、すでに割り当てられたリソースを迅速に回収し、これを他のサービスのために再割り当てすべきである。
【０００３】
また、ＢＳは、ＭＳからのＵＬ帯域幅割り当て要請に応じて帯域幅を迅速に割り当てることができるようにすべきである。ＵＬ帯域幅割り当て要請が、ＭＳの接続識別子（Connection Identifier：以下、“ＣＩＤ”と称する。）に従って行われ、ＢＳは、各ＭＳに基づいて帯域幅を割り当てる。すなわち、ＭＳは、各ＣＩＤ別に要請された帯域幅を要請し、ＢＳは、各ＣＩＤ別に要請された帯域幅に関する情報を収集し、各ＭＳ別に帯域幅を割り当てる。ここで、ＭＳがＵＬ帯域幅割り当てを要請する方式は、ポーリング（polling）方式とピギーバック（piggyback）方式とに分けられる。
【０００４】
まず、このポーリング方式は、ＭＳのＣＩＤ別に対応するＣＩＤにより必要とされるＵＬ帯域幅に関する情報を記録した６バイトの帯域幅要請ヘッダを所定のポーリングサイクル間隔で送信することにより帯域幅割り当てを要請する方式を意味する。ここで、この帯域幅に関する情報は、一例として帯域幅の量に関する情報であることができる。
【０００５】
図１は、ＵＬ帯域幅要請ヘッダの構成を示す図である。
【０００６】
図１を参照すると、ＵＬ帯域幅要請ヘッダは、ヘッダタイプ（以下、“ＨＴ”と称する。）フィールド１０１と、符号化（以下、“ＥＣ”と称する。）フィールド１０３と、タイプ（Ｔｙｐｅ）フィールド１０５と、帯域幅要請（以下、“ＢＲ”と称する。）フィールド１０７及び１０９と、ＣＩＤフィールド１１１及び１１３と、ヘッダ検査シーケンス（以下、“ＨＣＳ”と称する。）フィールド１１５とを含む。
【０００７】
次いで、ピギーバック方式を説明するのに先立って、図２を参照して一般的なメディアアクセス制御（Media Access Control：以下、“ＭＡＣ”と称する。）ヘッダの構成を説明する。
【０００８】
図２は、ジェネリックＭＡＣヘッダの構成を示す図である。
【０００９】
図２を参照すると、ジェネリックＭＡＣヘッダは、ＨＴフィールド２０１と、ＥＣフィールド２０３と、タイプフィールド２０５及び２０６と、拡張サブヘッダが存在するか否かを示す拡張サブヘッダフィールド（Extended Subheader Field：以下、“ＥＳＦ”と称する。）２０７と、巡回冗長検査（Cycle Redundancy Check：以下、“ＣＲＣ”と称する。）エラーを示すＣＲＣ指示子（CRC Indicator：以下、“ＣＩ”と称する）フィールド２０９と、ペイロード暗号化に使用するキーに関する情報を含む暗号化キーシーケンス（Encryption Key Sequence：以下、“ＥＫＳ”と称する。）フィールド２１１と、予備（Reserved：以下、“Ｒｓｖ”と称する。）フィールド２１３と、長さ（以下、“ＬＥＮ”と称する。）フィールド２１５及び２１７と、ＣＩＤフィールド２１９及び２２１と、ＨＣＳフィールド２２３とを含む。
【００１０】
ピギーバック方式は、グラント処理サブヘッダ（grant management subheader）がジェネリックＭＡＣヘッダに添付される方式でジェネリックＭＡＣヘッダのタイプフィールド２０５、２０６の最下位ビット（Least Significant Bit：以下、“ＬＳＢ”と称する。）２０６を“１”に設定することにより帯域幅割り当てを要請した後に、このジェネリックＭＡＣヘッダの後ろに対応するＣＩＤが必要なアップリンク帯域幅に関する情報を記録した２バイトのグラント処理サブヘッダを添付して送信することにより帯域幅割り当てを要請する方式である。ここで、このジェネリックＭＡＣヘッダタイプフィールド２０５、２０６のＬＳＢ２０６は、グラント処理サブヘッダを設定するか否かを示すビットであり、すでに割り当てられた帯域幅を超過して対応するＣＩＤが必要とする帯域幅のバイトの数に関する情報がこのグラント処理サブヘッダに記録される。このグラント処理サブヘッダの内容は、対応するＣＩＤのサービスクラスタイプに従って変わり、このグラント処理サブヘッダのフォーマットは、下記＜表１＞のように示すことができる。
【００１１】
【表１】
2010536231.tif 000003
【００１２】
＜表１＞に示した非要求保証サービス（Unsolicited Guaranteed Service：以下、“ＵＧＳ”と称する。）及び拡張リアルタイムポーリングサービス（real-time Polling Service：以下、“ｒｔＰＳ”と称する。）のグラント処理サブヘッダフォーマットを一例として示す。このグラント処理サブヘッダの内容は、サービスタイプに従って変わる。このようにスケジューリングされたサービスタイプは、ＵＧＳ及びｒｔＰＳだけではなく、非実時間ポーリングサービス（non real-time Polling Service：以下、“ｎｒｔＰＳ”と称する。）及びベストエフォートサービス（Best Effort：以下、“ＢＥ”と称する。）も含む。
【００１３】
このグラント処理サブヘッダの各フィールドに関する説明は、下記＜表２＞の通りである。
【００１４】
【表２】
2010536231.tif 000004
【００１５】
一方、ＭＳは、１つのＣＩＤだけでなく複数のＣＩＤのための帯域幅割り当てを要請することができる。しかしながら、上述したピギーバック方式は、１つのＣＩＤ、特に、ＭＳのジェネリックＭＡＣヘッダに含まれているＣＩＤ（以下、“ジェネリックＭＡＣヘッダＣＩＤ”と称する。）のための帯域幅割り当てを要請する場合だけに使用することができる。
【００１６】
図３は、一般的な通信システムにおけるＭＳがジェネリックＭＡＣヘッダＣＩＤを含む複数のＣＩＤのための帯域幅割り当てを要請する動作を示す図である。
【００１７】
図３を参照すると、ＭＳ＃１ ３１０は、複数のＣＩＤのための帯域幅割り当てを要請するために、図面に示すようなメッセージをＢＳに送信する。複数のＣＩＤは、ＭＳ＃１ ３１０が有するすべてのＣＩＤを特定の順序に整列したＣＩＤリスト３００に含まれるＣＩＤであり、例えば、ＣＩＤ＃２０５（以下、“第１のＣＩＤ”と称する。）３０１、ＣＩＤ＃３０２（以下、“第２のＣＩＤ”と称する。）３０３、及びＣＩＤ＃４３３１（以下、“第３のＣＩＤ”と称する。）３０５である。ここで、第１のＣＩＤ３０１は、ジェネリックＭＡＣヘッダＣＩＤであるため、ＭＳ＃１ ３１０は、第１のＣＩＤ３０１のための帯域幅割り当て要請のために２バイトのグラント処理サブヘッダ３３０を使用する。また、ＭＳ＃１ ３１０は、第２のＣＩＤ３０３及び第３のＣＩＤ３０５のための帯域幅割り当て要請のために６バイトの帯域幅要請ヘッダ３４０、３５０をそれぞれ使用する。
【００１８】
すなわち、ＭＳ＃１ ３１０は、第１のＣＩＤ３０１が必要な帯域幅３０２に関する情報を含むグラント処理サブヘッダ３３０と、第２のＣＩＤ３０３が必要な帯域幅３０４に関する情報及び第２のＣＩＤ３０３を含む帯域幅要請ヘッダ３４０と、第３のＣＩＤが必要な帯域幅３０６に関する情報及び第３のＣＩＤ３０５を含む帯域幅要請ヘッダ３５０とをジェネリックＭＡＣヘッダ３２０に連接したメッセージをＢＳに送信する。
【００１９】
一方、このメッセージを受信したＢＳは、ジェネリックＭＡＣヘッダ３２０及びグラント処理サブヘッダ３３０を介して第１のＣＩＤ３０１、及び第１のＣＩＤ３０１が必要な帯域幅３０２を検出し、帯域幅要請ヘッダ３４０を介して第２のＣＩＤ３０３が必要な帯域幅３０４及び第２のＣＩＤ３０３を検出し、帯域幅要請ヘッダ３５０を介して第３のＣＩＤ３０５が必要な帯域幅３０６及び第３のＣＩＤ３０５を検出した後に、この検出した帯域幅をＭＳ＃１ ３１０に割り当てる。
【００２０】
図４は、一般的な通信システムにおけるＭＳがジェネリックＭＡＣヘッダＣＩＤを除いた複数のＣＩＤのための帯域幅割り当てを要請する動作を示す図である。
【００２１】
図４を参照すると、ＭＳ＃１ ４１０は、複数のＣＩＤのための帯域幅割り当てを要請するために図面に示すようなメッセージをＢＳに送信する。この複数のＣＩＤは、ＭＳ＃１ ４１０のＣＩＤリスト４００に含まれているＣＩＤであり、一例として、第１のＣＩＤ４０３、第２のＣＩＤ４０５、及び第３のＣＩＤ４０７を含む。また、ＭＳ＃１ ４１０のジェネリックＭＡＣヘッダＣＩＤは、ＣＩＤ＃１０５ ４０１であり、したがって、ＭＳ＃１ ４１０は、第１のＣＩＤ４０３、第２のＣＩＤ４０５、及び第３のＣＩＤ４０７のための帯域幅割り当て要請のために６バイトの帯域幅要請ヘッダ４３０、４４０、４５０をそれぞれ使用する。
【００２２】
すなわち、ＭＳ＃１ ４１０は、第１のＣＩＤ４０３が必要な帯域幅４０２に関する情報及び第１のＣＩＤ４０３を含む帯域幅要請ヘッダ４３０と、第２のＣＩＤ４０５が必要な帯域幅４０４に関する情報及び第２のＣＩＤ４０５を含む帯域幅要請ヘッダ４４０と、第３のＣＩＤ４０７が必要な帯域幅４０６に関する情報及び第３のＣＩＤ４０７を含む帯域幅要請ヘッダ４５０をジェネリックＭＡＣヘッダ４２０に連接したメッセージをＢＳに送信する。
【００２３】
一方、このメッセージを受信したＢＳは、ジェネリックＭＡＣヘッダ４２０を介してジェネリックＭＡＣヘッダＣＩＤを検出し、帯域幅要請ヘッダ４３０を介して第１のＣＩＤ４０３が必要な帯域幅４０２及び第１のＣＩＤ４０３を検出し、帯域幅要請ヘッダ４４０を介して第２のＣＩＤ４０５が必要な帯域幅４０４及び第２のＣＩＤ４０５を検出した後に、この検出した帯域幅をＭＳ＃１ ４１０に割り当てる。
【００２４】
上述したように、ＭＳがＵＬ帯域幅割り当てを要請する方式は、ポーリング方式とピギーバック方式とを含む。
【００２５】
しかしながら、このポーリング方式は、固定されたポーリングサイクルによりこのポーリングサイクルの間に帯域幅割り当て要請が発生すると、これに従う時間遅延が発生し、所定のポーリング期間で対応する移動局が帯域幅要請ヘッダを送信しない場合に、この帯域幅要請ヘッダのために割り当てられたアップリンクリソースが浪費される。
【００２６】
また、このピギーバック方式は、ＵＬ送信データが存在するだけで使用することができるので、活用度が高く、そのオーバーヘッドがこのポーリング方式より小さい長所があるが、ジェネリックＭＡＣヘッダＣＩＤのための帯域幅割り当てを要請する場合のみ使用することができる。したがって、ＭＳが有したすべてのＣＩＤの中のジェネリックＭＡＣヘッダＣＩＤでないＣＩＤのための帯域幅割り当てを要請するためには、ＭＳは、６バイトの帯域幅要請ヘッダを使用しなければならない。また、複数のＣＩＤのための帯域幅割り当てを要請するためには、各ＣＩＤ別にこの帯域幅要請ヘッダが必要であるためにオーバーヘッドが増加する。
【発明の概要】
【発明が解決しようとする課題】
【００２７】
したがって、本発明は、上述した従来技術の問題点を解決するために提案されたものであり、その目的は、通信システムにおけるＭＳがジェネリックＭＡＣヘッダＣＩＤでないＣＩＤもピギーバック方式を使用してＵＬ帯域幅割り当てを要請し、ＢＳは、この帯域幅割り当て要請に応じてＣＩＤのための帯域幅を割り当てる方法及びシステムを提供することにある。
【００２８】
本発明の他の目的は、通信システムにおけるＭＳがピギーバック方式を使用して複数のＣＩＤのための帯域幅割り当てを要請し、ＢＳは、この帯域幅割り当て要請に応じてＣＩＤのための帯域幅を割り当てる方法及びシステムを提供することにある。
【課題を解決するための手段】
【００２９】
上記のような目的を達成するために、本発明の一態様によれば、通信システムにおける少なくとも２つの接続識別子を有する移動局が帯域幅割り当てを要請する方法を提供する。上記方法は、帯域幅割り当てが必要な少なくとも１つの接続識別子を検出するステップと、上記検出した少なくとも１つの接続識別子が１つである場合に、上記移動局の接続識別子を特定の順序に整列したリストで上記接続識別子の順位を記録する領域と上記接続識別子のために要請する帯域幅に関する情報を記録する領域とを含むグラント処理サブヘッダを生成するステップと、上記グラント処理サブヘッダをジェネリックＭＡＣ（メディアアクセス制御）ヘッダに連接して基地局に送信するステップとを具備し、上記接続識別子は、上記ジェネリックＭＡＣヘッダに含まれている接続識別子とは異なることを特徴とする。
【００３０】
本発明の他の態様によれば、通信システムにおける少なくとも２つの接続識別子を有する移動局が帯域幅割り当てを要請する方法を提供する。上記方法は、帯域幅割り当てが必要な少なくとも１つの接続識別子を検出するステップと、上記検出した少なくとも１つの接続識別子が複数である場合に、上記帯域幅割り当てが必要な接続識別子の総数を記録する領域とジェネリックメディアアクセス制御（ＭＡＣ）ヘッダに含まれている接続識別子のために要請する帯域幅に関する情報を記録する領域とを含むグラント処理サブヘッダと、上記帯域幅割り当てが必要な接続識別子の中で上記ジェネリックＭＡＣヘッダに含まれている接続識別子を除いた接続識別子の各々に対して、上記移動局の接続識別子を特定の順序に整列したリストで対応する接続識別子の順位を記録する領域と上記対応する接続識別子のために要請する帯域幅に関する情報を記録する領域とを含むグラント処理サブヘッダとを生成するステップと、上記生成されたグラント処理サブヘッダを上記ジェネリックＭＡＣヘッダに連接して基地局に送信するステップとを具備することを特徴とする。
【００３１】
本発明のさらに他の態様によれば、通信システムにおける少なくとも２つの接続識別子を有する移動局が帯域幅割り当てを要請する方法を提供する。上記方法は、帯域幅割り当てが必要な少なくとも１つの接続識別子を検出するステップと、上記検出した少なくとも１つの接続識別子が複数である場合に、拡張サブヘッダグループ長さフィールドと、第２の値を有する拡張サブヘッダタイプフィールドと、上記拡張サブヘッダタイプフィールドに対応する拡張サブヘッダボディーフィールドとをジェネリックメディアアクセス制御（ＭＡＣ）ヘッダに連接して基地局に送信するステップとを具備し、上記拡張サブヘッダボディーフィールドは、上記帯域幅割り当てが必要な接続識別子の総数を記録する領域と上記ジェネリックＭＡＣヘッダに含まれている接続識別子のために要請する帯域幅に関する情報を記録する領域とを含むグラント処理サブヘッダと、上記帯域幅割り当てが必要な接続識別子の中で上記ジェネリックＭＡＣヘッダに含まれている接続識別子を除いた接続識別子の各々に対して、上記移動局の接続識別子を特定の順序に整列したリストで対応する接続識別子の順位を記録する領域と上記対応する接続識別子のために要請する帯域幅に関する情報を記録する領域とを含むグラント処理サブヘッダとを有することを特徴とする。
【図面の簡単な説明】
【００３２】
【図１】帯域幅要請ヘッダの構成を示す図である。
【図２】ジェネリックＭＡＣヘッダの構成を示す図である。
【図３】一般的な通信システムにおけるＭＳ内のジェネリックＭＡＣヘッダＣＩＤを含む複数のＣＩＤが帯域幅割り当てを要請する動作を示す図である。
【図４】一般的な通信システムにおけるＭＳ内のジェネリックＭＡＣヘッダＣＩＤを除いた複数のＣＩＤが帯域幅割り当てを要請する動作を示す図である。
【図５】本発明の実施形態による通信システムで使用されるジェネリックＭＡＣヘッダの構成を示す図である。
【図６】本発明の実施形態による通信システムで使用されるグラント処理サブヘッダの構成を示す図である。
【図７】本発明の第１の実施形態による通信システムにおけるジェネリックＭＡＣヘッダＣＩＤでないＣＩＤが単一のピギーバックを実行することにより帯域幅割り当てを要請する動作を示す図である。
【図８】本発明の第２の実施形態による通信システムにおけるジェネリックＭＡＣヘッダＣＩＤでないＣＩＤが単一のピギーバックを実行することにより帯域幅割り当てを要請する動作を示す図である。
【図９】本発明の第３の実施形態による通信システムにおける複数のピギーバックを実行することにより帯域幅割り当てを要請する動作を示す図である。
【図１０】本発明の第４の実施形態による通信システムにおける複数のピギーバックを実行することにより帯域幅割り当てを要請する動作を示す図である。
【図１１】本発明の第５の実施形態による通信システムにおける複数のピギーバックを実行することにより帯域幅割り当てを要請する動作を示す図である。
【図１２】本発明の実施形態による通信システムにおけるＭＳが帯域幅割り当てを要請する手続きを示すフローチャートである。
【図１３】本発明の実施形態による通信システムにおけるＢＳがＭＳからの帯域幅割り当て要請に応じて帯域幅を割り当てる手続きを示すフローチャートである。
【図１４】拡張サブヘッダグループの構成を示す図である。
【図１５】本発明の第６の実施形態による通信システムにおける単一のピギーバックを実行することにより帯域幅割り当てを要請する動作を示す図である。
【図１６】本発明の第７の実施形態による通信システムにおける複数のピギーバックを実行することにより帯域幅割り当てを要請する動作を示す図である。
【図１７】本発明の第８の実施形態による通信システムにおける複数のピギーバックを実行することにより帯域幅割り当てを要請する動作を示す図である。
【発明を実施するための形態】
【００３３】
本発明を詳細に説明するのに先立って、本明細書の全般にわたって使用される特定の単語及び語句の定義を開示することが望ましい。“含む（include）”及び “備える（comprise）”という語句だけではなく、その派生語（derivatives thereof）は、限定ではなく、含みを意味する。“又は（or）”という用語は、“及び／又は（and/or）”の意味を包括する。“関連した（associated with）”及び“それと関連した（associated therewith）”という語句だけではなく、その派生語句は、“含む（include）”、“含まれる（be included within）”、“相互に連結する（interconnect with）”、“包含する（contain）”、“包含される（be contained within）”、“連結する（connect to or with）”、“結合する（couple to or with）”、“疎通する（be communicable with）”、“協力する（cooperate with）”、“挿入する（interleave）”、“並列する（juxtapose）”、“近接する（be proximate to）”、“接する（be bound to or with）”、“有する（have）”、及び“特性を有する（have a property of）”などを意味することができる。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００３４】
本発明の他の目的、利点、及び顕著な特徴は、添付の図面及び本発明の実施形態からなされる以下の詳細な説明から、当業者にとって明確になるはずである。
【００３５】
以下で説明する図５乃至図１７及び本明細書で本発明の原理を記述するために使用される様々な実施形態は、ただ例示的なものであって、本発明の趣旨を限定するものであると解釈されてはならない。当業者であれば、本発明の原理が適切に配置された任意の無線通信システムで実現することができるものであることは自明である。以下、本発明の望ましい実施形態を添付の図面を参照して詳細に説明する。図面中、同一の構成要素及び部分には、可能な限り同一の符号及び番号を共通使用するものとする。また、下記の説明において、本発明に関連した公知の機能又は構成に関する具体的な説明が本発明の要旨を不明にすると判断された場合には、その詳細な説明を省略する。さらに、本発明による動作を理解するために必須的な部分のみが説明され、必須的な部分ではない説明は、本発明の要旨を不明にすると判断される場合には、その詳細な説明を省略する。
【００３６】
本発明は、通信システムにおいて、ＭＳがピギーバック方式（すなわち、グラント処理サブヘッダをジェネリックＭＡＣヘッダに連接して送信する方式）を使用して複数のＣＩＤのためのＵＬ帯域幅割り当てを要請し、ＢＳは、ＭＳからの帯域幅割り当て要請に応じて帯域幅を割り当てるシステム及び方法を提案する。ここで、このピギーバック方式は、グラント処理サブヘッダがジェネリックＭＡＣヘッダに添付されるようにジェネリックＭＡＣヘッダのタイプフィールドの最下位ビット（Least Significant Bit：以下、“ＬＳＢ”と称する。）を設定することにより、すなわち、このタイプフィールドのＬＳＢを“１”に設定した後に、ジェネリックＭＡＣヘッダの後ろに対応するＣＩＤが必要なＵＬ帯域幅に関する情報（以下、“帯域幅情報”と称する。）を含む２バイトのグラント処理サブヘッダを添付して送信することにより帯域幅割り当てを要請する方式である。説明の便宜上、後述する本発明の実施形態では、ＭＳが１つのＣＩＤのためのピギーバックを実行して帯域幅割り当てを要請する方式を“単一のピギーバック方式”として定義し、ジェネリックＭＡＣヘッダに含まれたＣＩＤの以外にＭＳが有した複数のＣＩＤの各々のためのピギーバックを実行することにより帯域幅割り当てを要請する方式を“複数のピギーバック方式として定義する。
【００３７】
図５は、本発明の実施形態による通信システムで使用されるジェネリックＭＡＣヘッダの構成を示す図である。
【００３８】
図５を参照すると、ジェネリックＭＡＣヘッダは、ヘッダタイプ（ＨＴ）フィールド５０１と、符号化（ＥＣ）フィールド５０３と、タイプフィールド５０５、５０６と、拡張サブヘッダが存在するか否かを示す拡張サブヘッダフィールド（ＥＳＦ）５０７と、巡回冗長検査（ＣＲＣ）エラーを示すＣＲＣ指示子（ＣＩ）フィールド５０９と、ペイロード暗号化に使用されたキーに関する情報を含む暗号化キーシーケンス（ＥＫＳ）フィールド５１１と、本発明で新たに提案された拡張ピギーバック要請（extended piggyback request：以下、“ｅ−ＰＢＲ”と称する。）フィールド５１３と、長さ（ＬＥＮ）フィールド５１５、５１７と、ＣＩＤフィールド５１９、５２１と、ヘッダ検査シーケンス（ＨＣＳ）フィールド５２３とを含む。
【００３９】
本発明で新たに提案する帯域幅割り当て要請のための方式、すなわち、ＭＳが有したすべてのＣＩＤの中でジェネリックＭＡＣヘッダＣＩＤでないＣＩＤのために単一のピギーバック方式を使用して帯域幅割り当てを要請する方式と、ＭＳがジェネリックＭＡＣヘッダＣＩＤでない複数のＣＩＤのために複数のピギーバック方式を使用して帯域幅割り当てを要請する方式とは、ジェネリックＭＡＣヘッダのタイプフィールドＬＳＢ５０６とｅ−ＰＢＲ５１３ビットとの組合せにより識別される。
【００４０】
図６は、本発明の実施形態による通信システムで使用されるグラント処理サブヘッダの構成を示す図である。
【００４１】
図６を参照すると、本発明で新たに提案するグラント処理サブヘッダは、３つのタイプとして定義される。タイプ１として定義されるグラント処理サブヘッダ（以下、“タイプ１グラント処理サブヘッダ”と称する。）６１０は、複数のピギーバック方式で使用されることができ、特に、ジェネリックＭＡＣヘッダＣＩＤのための帯域幅割り当てを要請するのに使用される。タイプ１グラント処理サブヘッダ６１０は、帯域幅割り当てが必要なＣＩＤの総数を記録する“ｔｈｅ ｎｕｍｂｅｒ ｏｆ ＰＢＲ”フィールド（ｎビット）６１１とジェネリックＭＡＣヘッダＣＩＤが必要な帯域幅を記録するＰＢＲフィールド（１６-ｎビット）６１３とを含む。
【００４２】
タイプ２として定義されるグラント処理サブヘッダ（以下、“タイプ２グラント処理サブヘッダ”と称する。）６２０は、単一のピギーバック方式及び複数のピギーバック方式のすべてに使用されることができ、特に、ジェネリックＭＡＣヘッダＣＩＤでないＣＩＤのための帯域幅割り当てを要請するのに使用される。タイプ２グラント処理サブヘッダ６２０は、帯域幅割り当てが必要なＣＩＤがＭＳのＣＩＤリストに示される順位を示すための“ｔｈｅ ｏｒｄｅｒ ｏｆ ＣＩＤ ｔｏ ＰＢＲ”フィールド（ｎビット）６２１とＣＩＤが必要な帯域幅を記録するためのＰＢＲフィールド（１６-ｎビット）６２３とを含む。ここで、ＣＩＤリストは、ＭＳが有したすべてのＣＩＤが特定の順序に整列されたリストを意味する。
【００４３】
タイプ３として定義されるグラント処理サブヘッダ（以下、“タイプ３グラント処理サブヘッダ”と称する。）６３０は、複数のピギーバック方式で使用することができる。タイプ３グラント処理サブヘッダ６３０は、ＣＩＤリスト内の各ＣＩＤに対して、帯域幅割り当てが必要なＣＩＤを“１”に設定し、帯域幅割り当てが必要でないＣＩＤを“０”に設定することにより生成されたビットマップを記録するためのＣＩＤ ＭＡＰフィールド（１６ビット）６３１を含む。タイプ３グラント処理サブヘッダ６３０は、図１０を参照してさらに詳細に説明する。
【００４４】
一方、“ｔｈｅ ｎｕｍｂｅｒ ｏｆ ＰＢＲ”フィールド６１１又は“ｔｈｅ ｏｒｄｅｒ ｏｆ ＣＩＤ ｔｏ ＰＢＲ”フィールド６２１のサイズｎは、下記の数式（１）により決定される。
ｎ＝ｍｉｎ（５，ｍ）・・・数式（１）
【００４５】
上述した数式（１）において、ｍは、２ｍ≧ｋを満足する最小の整数を示し、ｋは、ジェネリックＭＡＣヘッダＣＩＤに対応するＭＳが有したＣＩＤの総数を示す。例えば、ＭＳが有したＣＩＤの総数が１２個であると仮定すると、ｋ＝１２、ｍ＝４、及びｎ＝４が得られ、したがって、“ｔｈｅ ｎｕｍｂｅｒ ｏｆ ＰＢＲ”フィールド”又は“ｔｈｅ ｏｒｄｅｒ ｏｆ ＣＩＤ ｔｏ ＰＢＲ”フィールドのサイズは、４ビットで決定される。
【００４６】
次の＜表３＞を参照して、ジェネリックＭＡＣヘッダのタイプフィールドＬＳＢとｅ−ＰＢＲビットとの組合せで帯域幅割り当て要請方式を示す方法について説明する。
【００４７】
【表３】
2010536231.tif 000005
【００４８】
＜表３＞に示すタイプフィールドＬＳＢとｅ−ＰＢＲビットとの組合せに従う帯域幅割り当て要請方式の詳細は、次の通りである。
（１）００：ピギーバックを実行しないことを示す。
（２）１０：単一のピギーバックを使用して帯域幅割り当てを要請し、この帯域幅割り当てを要請するＣＩＤがジェネリックＭＡＣヘッダＣＩＤであることを示す。
（３）１１：単一のピギーバックを使用して帯域幅割り当てを要請し、この帯域幅割り当てを要請するＣＩＤがジェネリックＭＡＣヘッダＣＩＤでないＣＩＤであることを示す。
（４）０１：複数のピギーバックを使用して帯域幅割り当てを要請することを示す。
【００４９】
次いで、図７及び図８を参照して本発明の実施形態による通信システムにおいてタイプフィールドＬＳＢ及びｅ−ＰＢＲビットがすべて“１”に設定される場合に、すなわち、ジェネリックＭＡＣヘッダＣＩＤでないＣＩＤのための単一のピギーバックを実行することにより帯域幅割り当てを要請する動作について説明する。
【００５０】
図７は、本発明の第１の実施形態による通信システムにおけるジェネリックＭＡＣヘッダＣＩＤでないＣＩＤのための単一のピギーバックを実行することにより帯域幅割り当てを要請する動作を示す図である。
【００５１】
図７を参照すると、ＭＳ＃２ ７１０は、自身のＣＩＤリスト７００に含まれている１つのＣＩＤ（すなわち、ＣＩＤ＃３０２ ７０３）のための帯域幅割り当てを要請するために図面に示すようなメッセージをＢＳに送信する。ここで、ＭＳ＃２ ７１０のジェネリックＭＡＣヘッダＣＩＤは、ＣＩＤ＃１０５ ７０１であり、ＭＳ＃２ ７１０は、ＣＩＤ＃３０２ ７０３のための帯域幅割り当てを要請するために本発明で新たに提案するタイプ２グラント処理サブヘッダ７３０を使用する。
【００５２】
すなわち、ＭＳ＃２ ７１０は、ＣＩＤ＃３０２ ７０３がＣＩＤリスト７００に示されるＣＩＤ＃３０２ ７０３の順位及びＣＩＤ＃３０２ ７０３の帯域幅情報を含むタイプ２グラント処理サブヘッダ７３０をジェネリックＭＡＣヘッダ７２０に連接してＢＳに送信する。ここで、この帯域幅情報は、一例として帯域幅の量に関する情報であることができ、この帯域幅の量に関する情報は、この帯域幅量自体に関する情報又はこの帯域幅量に対応するインデックス情報であることができる。また、ＣＩＤ＃３０２ ７０３がＣＩＤリスト７００で６番目に対応するので、タイプ２グラント処理サブヘッダ７３０に含まれているＣＩＤ＃３０２ ７０３の順位は、“６”となる。
【００５３】
一方、このメッセージを受信したＢＳは、ジェネリックＭＡＣヘッダ７２０を介して帯域幅割り当てを要請するＭＳ＃２ ７１０を検出し、タイプ２グラント処理サブヘッダ７３０を介してＣＩＤリスト７００で６番目を占めるＣＩＤ＃３０２ ７０３及びＣＩＤ＃３０２ ７０３が必要な帯域幅を検出する。ＢＳは、この検出した帯域幅をＭＳ＃２ ７１０に割り当てる。
【００５４】
図８は、本発明の第２の実施形態による通信システムにおけるジェネリックＭＡＣヘッダＣＩＤでないＣＩＤのための単一のピギーバックを実行することにより帯域幅割り当てを要請する動作を示す図である。
【００５５】
図８を参照すると、ＭＳ＃２ ８１０は、自身のＣＩＤリスト８００に含まれている１つのＣＩＤ（すなわち、ＣＩＤ＃３０２ ８０３）のための帯域幅割り当てを要請するために図面に示すようなメッセージをＢＳに送信する。ここで、ＭＳ＃２ ８１０のジェネリックＭＡＣヘッダＣＩＤは、ＣＩＤ＃１０５ ８０１であり、ＭＳ＃２ ８１０は、ＣＩＤ＃３０２ ８０３のための帯域幅割り当てを要請するために＜表１＞に示すようなグラント処理サブヘッダ（以下、“コンベンショナルタイプグラント処理サブヘッダ”と称する。）８４０を使用する。この実施形態と関連して、このコンベンショナルタイプグラント処理サブヘッダ８４０は、ＣＩＤ＃３０２ ８０３の帯域幅情報だけを含み、したがって、ＣＩＤ＃３０２ ８０３を含む２バイトサブヘッダ８３０がコンベンショナルタイプグラント処理サブヘッダ８４０とともに送信される。
【００５６】
すなわち、ＭＳ＃２ ８１０は、ＣＩＤ＃３０２ ８０３を含むサブヘッダ８３０とＣＩＤ＃３０２ ８０３の帯域幅情報を含むコンベンショナルタイプグラント処理サブヘッダ８４０とをジェネリックＭＡＣヘッダ８２０に連接することによりＢＳに送信する。
【００５７】
一方、このメッセージを受信したＢＳは、ジェネリックＭＡＣヘッダ８２０を介して帯域幅割り当てを要請するＭＳ＃２ ８１０を検出し、サブヘッダ８３０を介してＣＩＤ＃３０２ ８０３を検出し、コンベンショナルタイプグラント処理サブヘッダ８４０を介してＣＩＤ＃３０２ ８０３が必要な帯域幅を検出する。ＢＳは、この検出した帯域幅をＭＳ＃２ ８１０に割り当てる。
【００５８】
次いで、図９乃至図１１を参照して本発明の実施形態による通信システムにおいてタイプフィールドＬＳＢが“０”に設定され、ｅ−ＰＢＲビットが“１”に設定される場合の動作（すなわち、複数のピギーバックを実行することにより帯域幅割り当てを要請する動作）について説明する。
【００５９】
図９は、本発明の第３の実施形態による通信システムにおける複数のピギーバックを実行することにより帯域幅割り当てを要請する動作を示す図である。
【００６０】
図９を参照すると、ＭＳ＃３ ９１０は、自身のＣＩＤリスト９００に含まれている複数のＣＩＤ（すなわち、ＣＩＤ＃２０５（以下、“第１のＣＩＤ”と称する。）９０１、ＣＩＤ＃３０２（以下、“第２のＣＩＤ”と称する。）９０３、及びＣＩＤ＃４３３１（以下、“第３のＣＩＤ”と称する。）９０５）のための帯域幅割り当てを要請するために図面に示すようなメッセージをＢＳに送信する。ここで、第１のＣＩＤ９０１は、ＭＳ＃３ ９１０のジェネリックＭＡＣヘッダＣＩＤであり、したがって、ＭＳ＃３ ９１０は、第１のＣＩＤ９０１のための帯域幅割り当て要請のために本発明で新たに提案するタイプ１グラント処理サブヘッダ９３０を使用する。また、第２のＣＩＤ９０３及び第３のＣＩＤ９０５のための帯域幅割り当て要請のために本発明で新たに提案するタイプ２グラント処理サブヘッダ９４０、９５０をそれぞれ使用する。
【００６１】
すなわち、ＭＳ＃３ ９１０は、帯域幅割り当てが必要なＣＩＤの総数及び第１のＣＩＤ９０１の帯域幅情報を含むタイプ１グラント処理サブヘッダ９３０と、ＣＩＤリスト９００に示される第２のＣＩＤ９０３の順位及び第２のＣＩＤ９０３の帯域幅情報を含むタイプ２グラント処理サブヘッダ９４０と、ＣＩＤリスト９００に示される第３のＣＩＤ９０５の順位及び第３のＣＩＤ９０５の帯域幅情報を含むタイプ２グラント処理サブヘッダ９５０とをジェネリックＭＡＣヘッダ９２０に連接することによりＢＳに送信する。この実施形態と関連して、帯域幅割り当てが必要なＣＩＤの総数が３個であるため、タイプ１グラント処理サブヘッダ９３０に含まれている帯域幅割り当てが必要なＣＩＤの総数は、“３”である。第２のＣＩＤ９０３がＣＩＤリスト９００で占める順位が６番目であるため、タイプ２グラント処理サブヘッダ９４０に含まれている第２のＣＩＤ９０３の順位は“６”であり、第３のＣＩＤ９０５がＣＩＤリスト９００で占める順位が９番目であるため、タイプ２グラント処理サブヘッダ９５０に含まれている第３のＣＩＤ９０５の順位は“９”である。
【００６２】
一方、このメッセージを受信したＢＳは、ジェネリックＭＡＣヘッダ９２０を介して帯域幅割り当てを要請するＭＳ＃３ ９１０を検出し、タイプ１グラント処理サブヘッダ９３０を介して帯域幅割り当てが必要なＣＩＤの総数及び第１のＣＩＤ９０１が必要な帯域幅を検出し、タイプ２グラント処理サブヘッダ９４０を介してＣＩＤリスト９００で６番目を占める第２のＣＩＤ９０３及び第２のＣＩＤ９０３が必要な帯域幅を検出し、タイプ２グラント処理サブヘッダ９５０を介してＣＩＤリスト９００で９番目を占める第３のＣＩＤ９０５及び第３のＣＩＤ９０５が必要な帯域幅を検出する。ＢＳは、この検出した帯域幅をＭＳ＃３ ９１０に割り当てる。
【００６３】
図９において、ジェネリックＭＡＣヘッダＣＩＤを含む複数のＣＩＤのための帯域幅割り当てを要請する動作を一例として説明したが、ジェネリックＭＡＣヘッダＣＩＤでない複数のＣＩＤのためのピギーバックを実行することにより帯域幅割り当てを要請する動作にも図面に示すようなメッセージを使用することができることはもちろんである。
【００６４】
図１０は、本発明の第４の実施形態による通信システムにおける複数のピギーバックを実行することにより帯域幅割り当てを要請する動作を示す図である。
【００６５】
図１０を参照すると、ＭＳ＃３ １０１０は、自身のＣＩＤリスト１０００に含まれている複数のＣＩＤ（すなわち、第１のＣＩＤ１００３、第２のＣＩＤ１００５、及び第３のＣＩＤ１００７）のための帯域幅割り当てを要請するためには、図面に示すようなメッセージをＢＳに送信する。ここで、ＭＳ＃３ １０１０のジェネリックＭＡＣヘッダＣＩＤは、ＣＩＤ＃１０５ １００１であり、ＭＳ＃３ １０１０は、第１のＣＩＤ１００３、第２のＣＩＤ１００５、及び第３のＣＩＤ１００７のそれぞれのための帯域幅割り当てを要請するために本発明で新たに提案するタイプ３グラント処理サブヘッダ１０３０及びコンベンショナルタイプグラント処理サブヘッダ１０４０、１０５０、１０６０を使用する。
【００６６】
すなわち、ＭＳ＃３ １０１０は、自身のＣＩＤリスト１０００に含まれているＣＩＤの各々に対して帯域幅割り当てが必要なＣＩＤに対応するビットを“１”に設定し、帯域幅割り当てが必要でないＣＩＤに対応するビットを“０”に設定することにより生成されたビットマップに関する情報を含むタイプ３グラント処理サブヘッダ１０３０と、第１のＣＩＤ１００３の帯域幅情報を含むコンベンショナルタイプグラント処理サブヘッダ１０４０と、第２のＣＩＤ１００５の帯域幅情報を含むコンベンショナルタイプグラント処理サブヘッダ１０５０と、第３のＣＩＤ１００７の帯域幅情報を含むコンベンショナルタイプグラント処理サブヘッダ１０６０とを連接することによりＢＳに送信する。この実施形態と関連して、ＣＩＤリスト１０００に対応して生成されたビットマップは、“００１００１００１”（９ビット）であり、このビットマップの下位７ビットは、“０”でパッディングされる。したがって、タイプ３グラント処理サブヘッダ１０３０に含まれているビットマップは、“００１００１００１０００００００”である。
【００６７】
一方、このメッセージを受信したＢＳは、タイプ３グラント処理サブヘッダ１０３０を介して帯域幅割り当てが必要な第１のＣＩＤ１００３、第２のＣＩＤ１００５、及び第３のＣＩＤ１００７を検出し、このコンベンショナルタイプグラント処理サブヘッダ１０４０、１０５０、１０６０を介してこの検出されたＣＩＤの各々が必要な帯域幅を検出する。ＢＳは、この検出した帯域幅をＭＳ＃３ １０１０に割り当てる。
【００６８】
図１１は、本発明の第５の実施形態による通信システムにおける複数のピギーバックを実行することにより帯域幅割り当てを要請する動作を示す図である。
【００６９】
図１１を参照すると、ＭＳ＃３ １１１０は、自身のＣＩＤリスト１１００に含まれている複数のＣＩＤ（すなわち、第１のＣＩＤ１１０３、第２のＣＩＤ１１０５、及び第３のＣＩＤ１１０７）のための帯域幅割り当てを要請するために図面に示すようなメッセージをＢＳに送信する。ここで、ＭＳ＃３ １１１０のジェネリックＭＡＣヘッダＣＩＤは、ＣＩＤ＃１０５ １１０１であり、ＭＳ＃３ １１１０は、第１のＣＩＤ１１０３、第２のＣＩＤ１１０５、及び第３のＣＩＤ１１０７の各々のための帯域幅割り当て要請のために本発明で新たに提案するタイプ１グラント処理サブヘッダ１１３０とコンベンショナルタイプグラント処理サブヘッダ１１５０、１１７０、１１９０を使用する。この実施形態と関連して、このコンベンショナルタイプグラント処理サブヘッダ１１５０、１１７０、１１９０は、第１のＣＩＤ１１０３、第２のＣＩＤ１１０５、第３のＣＩＤ１１０７の帯域幅情報だけを含むので、帯域幅情報の各々に対応するＣＩＤ１１０３、１１０５、１１０７を含む２バイトサブヘッダ１１４０、１１６０、１１８０がこのコンベンショナルタイプグラント処理サブヘッダ１１５０、１１７０、１１９０とともに送信される。
【００７０】
すなわち、ＭＳ＃３ １１１０は、帯域幅割り当てが必要なＣＩＤの総数及びＣＩＤ＃１０５ １１０１の帯域幅情報を含むタイプ１グラント処理サブヘッダ１１３０と、第１のＣＩＤ１１０３を含むサブヘッダ１１４０と、第１のＣＩＤ１１０３の帯域幅情報を含むコンベンショナルタイプグラント処理サブヘッダ１１５０と、第２のＣＩＤ１１０５を含むサブヘッダ１１６０と、第２のＣＩＤ１１０５の帯域幅情報を含むコンベンショナルタイプグラント処理サブヘッダ１１７０と、第３のＣＩＤ１１０７を含むサブヘッダ１１８０と、第３のＣＩＤ１１０７の帯域幅情報を含むコンベンショナルタイプグラント処理サブヘッダ１１９０とをジェネリックＭＡＣヘッダ１１２０に連接することによりＢＳに送信する。この実施形態と関連して、この帯域幅割り当てが必要なＣＩＤの総数が３個であるため、タイプ１グラント処理サブヘッダ１１３０に含まれている帯域幅割り当てが必要なＣＩＤの総数は、“３”であり、“０”は、ＣＩＤ＃１０５ １１０１が帯域幅割り当てを要請しないため、タイプ１グラント処理サブヘッダ１１３０でＣＩＤ＃１０５ １１０１の帯域幅情報を示すフィールドに記録される。
【００７１】
一方、このメッセージを受信したＢＳは、ジェネリックＭＡＣヘッダ１１２０を介して帯域幅割り当てを要請するＭＳ＃３ １１１０を検出し、タイプ１グラント処理サブヘッダ１１３０を介して帯域幅割り当てが必要なＣＩＤの総数を検出し、サブヘッダ１１４０を介して第１のＣＩＤ１１０３を検出し、コンベンショナルタイプグラント処理サブヘッダ１１５０を介して第１のＣＩＤ１１０３が必要な帯域幅を検出し、サブヘッダ１１６０を介して第２のＣＩＤ１１０５を検出し、コンベンショナルタイプグラント処理サブヘッダ１１７０を介して第２のＣＩＤ１１０５が必要な帯域幅を検出し、サブヘッダ１１８０を介して第３のＣＩＤ１１０７を検出し、コンベンショナルタイプグラント処理サブヘッダ１１９０を介して第３のＣＩＤ１１０７が必要な帯域幅を検出する。ＢＳは、この検出した帯域幅をＭＳ＃３ １１１０に割り当てる。
【００７２】
図１２は、本発明の実施形態による通信システムにおけるＭＳが帯域幅割り当てを要請する手続きを示すフローチャートである。
【００７３】
図１２を参照すると、ステップ１２０１で、ＭＳは、帯域幅割り当て要請が必要であるか否かを検査した後に、帯域幅割り当て要請が必要であれば、ステップ１２０５に進む。ＭＳは、帯域幅割り当て要請を必要としない場合には、ステップ１２０３に進み、ジェネリックＭＡＣヘッダのタイプフィールドＬＳＢ及びｅ−ＰＢＲビットをすべて“０”に設定する。
【００７４】
ステップ１２０５で、ＭＳは、帯域幅割り当てが必要なＣＩＤを確認し、この確認したＣＩＤが複数個であるか否かを検査する。ＭＳは、この確認したＣＩＤが複数個である場合には、ステップ１２０７に進み、この確認したＣＩＤが１個である場合には、ステップ１２１１に進む。ステップ１２０７で、ＭＳは、ジェネリックＭＡＣヘッダのタイプフィールドＬＳＢを“０”に設定し、ジェネリックＭＡＣヘッダのｅ−ＰＢＲビットを“１”に設定した後に、ステップ１２０９に進む。ステップ１２０９で、ＭＳは、複数のピギーバックを実行することにより自身が必要な帯域幅割り当てを要請する。
【００７５】
ステップ１２１１で、ＭＳは、この帯域幅が必要なＣＩＤがジェネリックＭＡＣヘッダＣＩＤであるか否かを検査する。ステップ１２１１の検査の結果、この帯域幅が必要なＣＩＤがジェネリックＭＡＣヘッダＣＩＤである場合に、ＭＳは、ステップ１２１３に進む。ステップ１２１３で、ＭＳは、ジェネリックＭＡＣヘッダのタイプフィールドＬＳＢを“１”に設定し、ジェネリックＭＡＣヘッダのｅ−ＰＢＲビットを“０”に設定した後に、ステップ１２１５に進む。ステップ１２１５で、ＭＳは、このジェネリックＭＡＣヘッダＣＩＤのための単一のピギーバックを実行することにより帯域幅割り当てを要請する。
【００７６】
しかしながら、ステップ１２１１の検査の結果、この帯域幅が必要なＣＩＤがジェネリックＭＡＣヘッダＣＩＤでない場合に、ＭＳは、ステップ１２１７に進む。ステップ１２１７で、ＭＳは、ジェネリックＭＡＣヘッダのタイプフィールドＬＳＢ及びｅ−ＰＢＲビットをすべて“１”に設定した後に、ステップ１２１９に進む。ステップ１２１９で、ＭＳは、ジェネリックヘッダＣＩＤでないＣＩＤのための単一のピギーバックを実行することにより帯域幅割り当てを要請する。
【００７７】
図１３は、本発明の実施形態による通信システムにおけるＢＳがＭＳからの帯域幅割り当て要請に応じて帯域幅を割り当てる手続きを示すフローチャートである。
【００７８】
図１３を参照すると、ステップ１３０１で、ＢＳは、ジェネリックヘッダがＭＳから受信されるか否かを検査する。このジェネリックＭＡＣヘッダが受信されると、ＢＳは、ステップ１３０３に進み、そうでなければ、ステップ１３０１にさらに進む。ステップ１３０３で、ＢＳは、この受信したジェネリックＭＡＣヘッダのｅ−ＰＢＲビットを検査する。ＢＳは、このｅ−ＰＢＲビットが“０”に設定されると、ステップ１３０５に進み、ｅ−ＰＢＲビットが“１”に設定されると、ステップ１３１３に進む。
【００７９】
ステップ１３０５で、ＢＳは、このジェネリックＭＡＣヘッダのタイプフィールドＬＳＢを検査し、ジェネリックＭＡＣヘッダのタイプフィールドＬＳＢが“１”に設定される場合には、ステップ１３０７に進む。すなわち、ＢＳは、ステップ１３０３及びステップ１３０５を介してジェネリックＭＡＣヘッダのタイプフィールドＬＳＢが“１”に設定され、ジェネリックＭＡＣヘッダのｅ−ＰＢＲビットが“０”に設定されることを確認すると、ステップ１３０７に進む。ステップ１３０７で、ＢＳは、ＭＳがジェネリックヘッダに含まれているジェネリックＭＡＣヘッダＣＩＤのための単一のピギーバックを実行することにより帯域幅割り当てを要請したことを認識した後に、ステップ１３０９に進む。ステップ１３０９で、ＢＳは、帯域幅割り当てを要請したＣＩＤ及び各ＣＩＤの帯域幅情報を確認した後にステップ１３１１に進む。ステップ１３１１で、ＢＳは、ステップ１３０９で確認した情報に応じてＭＳに帯域幅を割り当てる。
【００８０】
また、ステップ１３０３の検査の結果、ｅ−ＰＢＲビットが“１”に設定される場合に、ＢＳは、ステップ１３１３に進み、ジェネリックＭＡＣヘッダのタイプフィールドＬＳＢを検査する。ステップ１３１３の検査の結果、ジェネリックＭＡＣヘッダのタイプフィールドＬＳＢが“０”に設定されると、ＢＳは、ステップ１３１５に進む。すなわち、ＢＳは、ステップ１３０３及びステップ１３１３を介してジェネリックＭＡＣヘッダのタイプフィールドＬＳＢが“０”に設定され、ジェネリックＭＡＣヘッダのｅ−ＰＢＲビットが“１”に設定されることを確認すると、ステップ１３１５に進む。ステップ１３１５で、ＢＳは、ＭＳが複数のピギーバックを実行することにより帯域幅割り当てを要請したことを認識した後に、ステップ１３１７に進む。ステップ１３１７で、ＢＳは、ＭＳからの帯域幅割り当て要請が関連するＣＩＤのポーリングサイクルに対応するか否かを検査する。この帯域幅割り当て要請がこのポーリングサイクルに対応する場合に、ＢＳは、ステップ１３０９に進み、そうでなければ、ステップ１３２１に進む。ステップ１３２１で、ＢＳは、関連するＣＩＤのためのポーリングが実行されるポーリング機会を１回削除した後に、ステップ１３０９に進む。この際に、ＢＳは、このポーリングのためのリソースを他の用途で割り当てることができる。
【００８１】
一方、ステップ１３１３の検査の結果、ＢＳは、このタイプフィールドＬＳＢが“１”に設定されると、ステップ１３１９に進む。すなわち、ステップ１３０３及びステップ１３１３を介してこのジェネリックヘッダのタイプフィールドＬＳＢ及びｅ−ＰＢＲビットがすべて“１”に設定されることを確認したＢＳは、ステップ１３１９に進む。ステップ１３１９で、ＢＳは、ジェネリックＭＡＣヘッダＣＩＤでないＣＩＤのための単一のピギーバックを実行することにより帯域幅割り当てを要請したことを認識した後に、ステップ１３１７に進む。
【００８２】
ここまで、ジェネリックＭＡＣヘッダのタイプフィールドＬＳＢ５０６とｅ−ＰＢＲ５１３ビットとの組合せに従って単一のピギーバック方式又は複数のピギーバック方式を使用して帯域幅割り当てを要請する方式について説明した。
【００８３】
本発明の次の実施形態において、新たなタイプの拡張サブヘッダを定義した後に、単一のピギーバック方式又は複数のピギーバック方式を使用して帯域幅割り当てを要請する方式について説明する。以下で定義するような拡張サブヘッダを使用するためには、ジェネリックＭＡＣヘッダのＥＳＦ５０７ビットを“１”に設定する。ＥＳＦ５０７ビットは、拡張サブヘッダが存在するか否かを示すビットであり、ジェネリックＭＡＣヘッダのＥＳＦ５０７ビットが“１”に設定されると、ＭＳは、ジェネリックＭＡＣヘッダに拡張サブヘッダを連接することによりＢＳに送信する。
【００８４】
図１４は、拡張サブヘッダグループの構成を示す図である。
【００８５】
図１４を参照すると、この拡張サブヘッダは、この拡張サブヘッダの全長を示す拡張サブヘッダグループ長さ（ＬＥＮ）フィールド１４０１と、予備フィールド１４０３と、拡張サブヘッダタイプ１フィールド１４０５と、拡張サブヘッダボディー１フィールド１４０７などとを含む。ここで、この拡張サブヘッダは、この拡張サブヘッダタイプフィールドの値に従って１２８個のタイプまで定義されることができ、新たな拡張サブヘッダタイプが定義される度にこれに対応する拡張サブヘッダボディーも新たに定義される。
【００８６】
すなわち、この拡張サブヘッダをジェネリックＭＡＣヘッダに連接して送信する際に、拡張サブヘッダグループの全長をまず表示し、次の＜表４＞及び＜表５＞を参照して必要な拡張サブヘッダタイプを順次に連接する。また、この拡張サブヘッダは、アップリンク及びダウンリンクの各拡張サブヘッダタイプフィールドの値に従って分けられることができる。まず、アップリンクで拡張サブヘッダタイプフィールドの値に従って区分される拡張サブヘッダタイプは、下記＜表４＞の通りである。
【００８７】
【表４】
2010536231.tif 000006
【００８８】
次いで、ダウンリンクで拡張サブヘッダタイプフィールドの値に従って区分される拡張サブヘッダタイプは、下記＜表５＞の通りである。
【００８９】
【表５】
2010536231.tif 000007
【００９０】
したがって、本発明は、アップリンクで拡張サブヘッダタイプフィールドが６乃至１２７の値を有する場合に使用可能な予備領域と、ダウンリンクで拡張サブヘッダタイプフィールドが５乃至１２７の値を有する場合に使用可能な予備領域とを使用することにより単一のピギーバック方式又は複数のピギーバック方式で帯域幅割り当てを要請する方式を提案する。
【００９１】
後述する本発明の実施形態では、拡張サブヘッダタイプフィールドがＡの値を有する場合に、ＭＳが単一のピギーバックを実行することにより帯域幅割り当てを要請し、拡張サブヘッダタイプフィールドがＢの値を有する場合に、ＭＳがタイプ２グラント処理サブヘッダを使用した複数のピギーバックを実行することにより帯域幅割り当てを要請し、拡張サブヘッダタイプフィールドがＣの値を有する場合に、ＭＳがタイプ３グラント処理サブヘッダを使用した複数のピギーバックを実行することにより帯域幅割り当てを要請すると仮定して説明する。また、この拡張サブヘッダタイプフィールドの値がＡ、Ｂ、又はＣとして定義されたが、＜表４＞及び＜表５＞の予備領域に対応する任意の値（すなわち、アップリンクでの拡張サブヘッダタイプフィールドの値６乃至１２７及びダウンリンクでの拡張サブヘッダタイプフィールドの値５乃至１２７の中の任意の値）が拡張サブヘッダタイプフィールドの値として使用することができることはもちろんである。
【００９２】
図１５は、本発明の第６の実施形態による通信システムにおける単一のピギーバックを実行することにより帯域幅割り当てを要請する動作を示す図である。
【００９３】
図１５を参照すると、ＭＳは、自身のＣＩＤリストに含まれている１つのＣＩＤのための帯域幅割り当てを要請するために図面に示すようなメッセージをＢＳに送信する。ここで、ＭＳは、単一のピギーバック方式を使用して帯域幅割り当てを要請するためにジェネリックＭＡＣヘッダ１５１０のＥＳＦ１５００を“１”に設定し、拡張サブヘッダグループＬＥＮフィールド１５２０と、対応する拡張サブヘッダと、拡張サブヘッダタイプＡ １５３０と、拡張サブヘッダタイプＡ １５３０に対応する拡張サブヘッダボディーＡ １５５０とをジェネリックＭＡＣヘッダ１５１０に連接して送信する。この実施形態と関連して、拡張サブヘッダボディーＡ １５５０は、本発明で新たに提案するタイプ２グラント処理サブヘッダ１５４０を含む。
【００９４】
すなわち、ＭＳは、ＣＩＤリストで帯域幅割り当てを要請するＣＩＤの順位及び帯域幅割り当てを要請するＣＩＤの帯域幅情報を含むタイプ２グラント処理サブヘッダ１５４０をジェネリックＭＡＣヘッダ１５１０に連接してＢＳに送信する。ここで、この帯域幅情報は、一例として帯域幅の量に関する情報であることができ、この帯域幅の量に関する情報は、この帯域幅量自体に関する情報又はこの帯域幅量に対応するインデックス情報であることができる。また、ＭＳは、タイプ２グラント処理サブヘッダ１５４０の“ｔｈｅ ｏｒｄｅｒ ｏｆ ＣＩＤ ｔｏ ＰＢＲ”フィールドを個人ＣＩＤインデックスに置き換えることができる。この個人ＣＩＤインデックスは、ＭＳが有したＣＩＤが幾番目のＣＩＤであるかを示す。
【００９５】
一方、このメッセージを受信したＢＳは、タイプ２グラント処理サブヘッダ１５４０を介してＣＩＤリストに示された帯域幅割り当て要請を行うＣＩＤが占める順位及び帯域幅割り当て要請を行うＣＩＤが要請した帯域幅を検出することにより、この検出した帯域幅をＭＳに割り当てる。
【００９６】
図１６は、本発明の第７の実施形態による通信システムにおける複数のピギーバックを実行することにより帯域幅割り当てを要請する動作を示す図である。
【００９７】
図１６を参照すると、ＭＳは、自身のＣＩＤリストに含まれている複数のＣＩＤのための帯域幅割り当てを要請するために図面に示すようなメッセージをＢＳに送信する。下記の説明において、複数のＣＩＤが第１のＣＩＤ、第２のＣＩＤ、及び第３のＣＩＤを構成すると仮定する。ＭＳは、複数のピギーバック方式による帯域幅割り当てを要請するために、ジェネリックＭＡＣヘッダ１６１０のＥＳＦ１６００を“１”に設定し、拡張サブヘッダグループＬＥＮフィールド１６２０と、対応する拡張サブヘッダと、拡張サブヘッダタイプＢ １６３０と、拡張サブヘッダタイプＢ １６３０に対応する拡張サブヘッダボディーＢ １６７０とをジェネリックＭＡＣヘッダ１６１０に連結して送信する。この実施形態と関連して、拡張サブヘッダボディーＢ １６７０は、本発明で新たに提案するタイプ１グラント処理サブヘッダ１６４０とタイプ２グラント処理サブヘッダ１６５０及び１６６０とを含む。
【００９８】
すなわち、ＭＳは、自身のＣＩＤリストで帯域幅割り当てを要請するＣＩＤの総数情報及びジェネリックＭＡＣヘッダ１６１０に含まれているＣＩＤ、すなわち、第１のＣＩＤが要請する帯域幅情報を含むタイプ１グラント処理サブヘッダ１６４０と、第２のＣＩＤがＣＩＤリストで占める順位及び第２のＣＩＤが要請する帯域幅情報を含むタイプ２グラント処理サブヘッダ１６５０と、第３のＣＩＤがＣＩＤリストで占める順位及び第３のＣＩＤが要請する帯域幅情報を含むタイプ２グラント処理サブヘッダ１６６０とを連接してＢＳに送信する。 
【００９９】
拡張サブヘッダボディーＢ １６７０の長さが帯域幅割り当てを要請するＣＩＤの総数に従って変わり、この帯域幅割り当てを要請するＣＩＤのそれぞれの帯域幅要請のためのサブヘッダの長さが２バイトであるために、拡張サブヘッダボディーＢ １６７０の長さは、帯域幅割り当てを要請するＣＩＤの総数（３個）×帯域幅要請のためのサブヘッダの長さ（２バイト）である。言い換えれば、拡張サブヘッダボディーＢ １６７０の長さは、タイプ１グラント処理サブヘッダ１６４０の“ｔｈｅ ｎｕｍｂｅｒ ｏｆ ＰＢＲ”フィールドに記録された値の２倍となる。また、ＭＳは、タイプ２グラント処理サブヘッダ１６５０及び１６６０の“ｔｈｅ ｏｒｄｅｒ ｏｆ ＣＩＤ ｔｏ ＰＢＲ”フィールドを個人ＣＩＤインデックスに置き換えることもある。
【０１００】
一方、このメッセージを受信したＢＳは、タイプ１グラント処理サブヘッダ１６４０を介して帯域幅割り当てを要請するＣＩＤの総数及び第１のＣＩＤが要請する帯域幅を検出し、タイプ２グラント処理サブヘッダ１６５０を介して第２のＣＩＤがＣＩＤリストで占める順位及び第２のＣＩＤが要請する帯域幅を検出し、タイプ２グラント処理サブヘッダ１６６０を介して第３のＣＩＤがＣＩＤリストで占める順位及び第３のＣＩＤが要請する帯域幅を検出することにより、この検出した帯域幅をＭＳに割り当てる。
【０１０１】
図１７は、本発明の第８の実施形態による通信システムにおける複数のピギーバックを実行することにより帯域幅割り当てを要請する動作を示す図である。
【０１０２】
図１７を参照すると、ＭＳは、自身のＣＩＤリストに含まれている第１のＣＩＤ、第２のＣＩＤ、第３のＣＩＤのための帯域幅割り当てを要請するために図面に示すようなメッセージをＢＳに送信する。ＭＳは、複数のピギーバック方式を使用して帯域幅割り当てを要請するために、ジェネリックＭＡＣヘッダ１７１０のＥＳＦ１７００を“１”に設定し、拡張サブヘッダグループＬＥＮフィールド１７２０と、対応する拡張サブヘッダと、拡張サブヘッダタイプＣ １７３０と、拡張サブヘッダタイプＣ １７３０に対応する拡張サブヘッダボディーＣ １７８０とをジェネリックＭＡＣヘッダ１７１０に連接して送信する。この実施形態と関連して、拡張サブヘッダボディーＣ １７８０は、本発明で新たに提案するタイプ３グラント処理サブヘッダ１７４０とコンベンショナルタイプグラント処理サブヘッダ１７５０、１７６０及び１７７０とを含む。
【０１０３】
すなわち、ＭＳは、自身のＣＩＤリストに含まれているＣＩＤの各々に対して帯域幅割り当てを要請するＣＩＤに対応するビットを“１”に設定し、帯域幅割り当てを要請しないＣＩＤに対応するビットを“０”に設定することにより生成されたビットマップに関する情報を含むタイプ３グラント処理サブヘッダ１７４０と、第１のＣＩＤの帯域幅情報を含むコンベンショナルタイプグラント処理サブヘッダ１７５０と、第２のＣＩＤの帯域幅情報を含むコンベンショナルタイプグラント処理サブヘッダ１７６０と、第３のＣＩＤの帯域幅情報を含むコンベンショナルタイプグラント処理サブヘッダ１７７０とを連接することによりＢＳに送信する。したがって、拡張サブヘッダボディーＣ １７８０の長さは、帯域幅割り当てを要請するＣＩＤの総数、すなわち、タイプ３グラント処理サブヘッダ１７４０で“１”に設定されたビットの個数×２倍＋タイプ３グラント処理サブヘッダ（２バイト）＝３×２＋２バイトとなる。
【０１０４】
一方、このメッセージを受信したＢＳは、タイプ３グラント処理サブヘッダ１７４０を介して帯域幅割り当てを要請するＣＩＤ、すなわち、第１のＣＩＤ、第２のＣＩＤ、及び第３のＣＩＤを検出し、コンベンショナルタイプグラント処理サブヘッダ１７５０、１７６０、及び１７７０を介してこの検出されたＣＩＤの各々が必要な帯域幅を検出することにより、各ＣＩＤが要請する帯域幅をＭＳに割り当てる。
【０１０５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０１０６】
５０１  ヘッダタイプ（ＨＴ）フィールド
５０３  符号化（ＥＣ）フィールド
５０５、５０６  タイプフィールド
５０７  拡張サブヘッダフィールド（ＥＳＦ）
５０９  ＣＲＣ指示子（ＣＩ）フィールド
５１１  暗号化キーシーケンス（ＥＫＳ）フィールド
５１３  拡張ピギーバック要請フィールド
５１５、５１７  長さ（ＬＥＮ）フィールド
５１９、５２１  ＣＩＤフィールド
５２３ヘッダ検査シーケンス（ＨＣＳ）フィールド
【図１】
2010536231.tif 000008
【図２】
2010536231.tif 000009
【図３】
2010536231.tif 000010
【図４】
2010536231.tif 000011
【図５】
2010536231.tif 000012
【図６】
2010536231.tif 000013
【図７】
2010536231.tif 000014
【図８】
2010536231.tif 000015
【図９】
2010536231.tif 000016
【図１０】
2010536231.tif 000017
【図１１】
2010536231.tif 000018
【図１２】
2010536231.tif 000019
【図１３】
2010536231.tif 000020
【図１４】
2010536231.tif 000021
【図１５】
2010536231.tif 000022
【図１６】
2010536231.tif 000023
【図１７】
2010536231.tif 000024
【国際調査報告】
2010536231.tif 000025
2010536231.tif 000026